【手続補正書】
【提出日】平成17年9月29日(2005.9.29)
【手続補正１】
【補正対象書類名】明細書
【補正対象項目名】全文
【補正方法】変更
【補正の内容】
【書類名】              明細書
【発明の名称】          パチンコ機
【特許請求の範囲】
【請求項１】  パチンコ球が特定領域を通過すると大入賞口の開放を繰り返す点で共通した内容を持つ複数の異なる遊技を、１つの遊技盤上にて展開するパチンコ機において、
前記遊技盤上に設けたセンター役物に、各遊技の大入賞口をかねた兼用大入賞口と、前記兼用大入賞口の下に形成された振分板と、前記振分板の下に形成されたものであって各遊技の大入賞口の入賞領域をかねた兼用入賞領域と、前記兼用入賞領域に区画されたものであって各遊技の特定領域をかねた兼用特定領域とを備え、
前記センター役物が各遊技で使用されることを特徴とするパチンコ機。
【請求項２】  請求項１に記載するパチンコ機において、
前記遊技盤上にて展開される複数の異なる遊技は、大当たり状態のときに繰り返される前記兼用大入賞口の開放の態様が、継続的に開放される第１の遊技と断続的に開放される第２の遊技とを含むことを特徴とするパチンコ機。
【請求項３】  請求項１又は請求項２に記載するパチンコ機において、
前記遊技盤上にて展開される複数の異なる遊技の１つで使用する図柄表示装置を、前記センター役物に設けたことを特徴とするパチンコ機。
【発明の詳細な説明】
【０００１】
【発明の属する技術分野】
本発明は、１台で複数の異なる遊技を展開し得るパチンコ機に関する。
【０００２】
【従来の技術】
従来、１台で複数の異なる遊技を展開し得るパチンコ機としては、例えば、本出願人が提出した特願平１１−２６０３７８号の特許出願で、第２実施の形態として記載したパチンコ機がある。図４は、かかるパチンコ機の遊技盤の正面図を示したものであるが、遊技盤１００の上では、いわゆる第１種の遊技といわゆる第２種の遊技とが展開される。
【０００３】
そして、第１種の遊技が遊技盤１００上にて展開される場合においては、第１種の大当たり状態の際に、第１種大入賞口１１１内に形成された特定領域たる第１種Ｖゾーンにパチンコ球が通過すると、第１種大入賞口１１１の継続的な開放が繰り返されることになる。また、第２種の遊技が遊技盤１００上にて展開される場合においては、第２種の大当たり状態の際に、特定領域たる第２種Ｖゾーン１０６にパチンコ球が通過すると、第２種開閉部材１０４の回動変化による第２種大入賞口の断続的な開放が繰り返されることになる。
【０００４】
従って、第１種の遊技と第２種の遊技とでは、第１種大入賞口１１１の開放の態様と第２種開閉部材１０４の回動変化による第２種大入賞口の開放の態様とが異なるものの、パチンコ球が特定領域に入賞すると大入賞口の開放を繰り返す点で共通した内容を持つ関係にあると言うことができる。すなわち、図４の遊技盤１００を有するパチンコ機は、パチンコ球が特定領域を通過すると大入賞口の開放を繰り返す点で共通した内容を持つ複数の異なる遊技（第１種の遊技と第２種の遊技）を、１つの遊技盤１００上にて展開することができるものである。
【０００５】
【発明が解決しようとする課題】
しかしながら、図４の遊技盤１００を有するパチンコ機は、第１種の特別図柄表示装置１０３が第２種の特別変動入賞装置１０２内に設けられてはいるものの、第１種の遊技の展開に必要な役物（特別図柄表示装置１０３、第１種始動口１０８、第１種大入賞口１１１、第１種Ｖゾーンなど）と、第２種の遊技の展開に必要な役物（第２種開閉部材１０４、第２種Ｖゾーン１０６、第２種始動口Ａ１０９、第２種始動口Ｂ１１０、第２種大入賞口など）は、遊技盤１００上において、各々が独立した存在であった。従って、第１種の遊技と第２種の遊技が１つの遊技盤１００上において単に併存した平凡な印象を、遊技者に与えていた。
【０００６】
そこで、本発明は、上述した問題点を解決するためになされたものであり、遊技盤上にて展開される複数の異なる遊技の共通した内容を１つのセンター役物で行い、遊技盤上にて展開される複数の異なる遊技が部分的に融合した斬新な印象を遊技者に与えることによって、遊技者に新たな興趣を持たせることができるパチンコ機を提供することを目的とする。
【０００７】
【課題を解決するための手段】
この目的を達成するために成された請求項１に係る発明は、パチンコ球が特定領域を通過すると大入賞口の開放を繰り返す点で共通した内容を持つ複数の異なる遊技を、１つの遊技盤上にて展開するパチンコ機であって、前記遊技盤上に設けたセンター役物に、各遊技の大入賞口をかねた兼用大入賞口と、前記兼用大入賞口の下に形成された振分板と、前記振分板の下に形成されたものであって各遊技の大入賞口の入賞領域をかねた兼用入賞領域と、前記兼用入賞領域に区画されたものであって各遊技の特定領域をかねた兼用特定領域とを備え、前記センター役物が各遊技で使用されることを特徴とする。
【０００８】
【０００９】
【００１０】
【００１１】
また、請求項２に係る発明は、請求項１に記載するパチンコ機であって、前記遊技盤上にて展開される複数の異なる遊技は、大当たり状態のときに繰り返される前記兼用大入賞口の開放の態様が、継続的に開放される第１の遊技と断続的に開放される第２の遊技とを含むことを特徴とする。
【００１２】
また、請求項３に係る発明は、請求項１又は請求項２に記載するパチンコ機であって、前記遊技盤上にて展開される複数の異なる遊技の１つで使用する図柄表示装置を、前記センター役物に設けたことを特徴とする。
【００１３】
このような構成を有する本発明のパチンコ機では、複数の異なる遊技を１つの遊技盤上にて展開するものである。そして、遊技盤上にて展開される複数の異なる遊技には、パチンコ球が特定領域を通過すると大入賞口の開放を繰り返す点で共通した内容がある。
【００１４】
また、遊技盤上には、センター役物が設けられている。センター役物においては、パチンコ球が兼用大入賞口に入賞すると、兼用大入賞口の下に形成された振分板の上にパチンコ球が誘導される。さらに、振分板の上のパチンコ球は、振分板の下に形成された兼用入賞領域に向かって転動し、兼用入賞領域又は兼用入賞領域に区画された兼用特定領域を通過する。
【００１５】
この点、兼用大入賞口とは、遊技盤上にて展開される各遊技の大入賞口をかねたものである。また、兼用入賞領域とは、遊技盤上にて展開される各遊技の大入賞口の入賞領域をかねたものである。また、兼用特定領域とは、遊技盤上にて展開される各遊技の特定領域をかねたものである。従って、遊技盤上にて展開されるいずれの遊技においても、センター役物の兼用特定領域をパチンコ球が通過すると、センター役物の兼用大入賞口の開放が繰り返される。これにより、遊技盤上にて展開される複数の異なる遊技の共通した内容は、１つのセンター役物において行われることになる。よって、センター役物は、遊技盤上にて展開される各遊技で使用される。
【００１６】
すなわち、本発明のパチンコ機では、複数の異なる遊技が展開される遊技盤上に設けられたセンター役物において、パチンコ球が兼用特定領域を通過すると、兼用大入賞口の開放を繰り返すことにより、遊技盤上にて展開される複数の異なる遊技の共通した内容を１つのセンター役物で行っており、遊技盤上にて展開される複数の異なる遊技が部分的に融合した斬新な印象を遊技者に与えることができるので、遊技者に新たな興趣を持たせることができる。
【００１７】
また、遊技盤上にて展開される複数の異なる遊技の共通した内容を１つのセンター役物で行うことによって、遊技盤上にて展開される各遊技に必要な役物の一部を共有化し、遊技盤上に設けられる役物の数を減らすことができるので、遊技盤上を綺麗にまとめることができるとともに、遊技盤が反る危険を回避することができる。
【００１８】
また、センター役物の振分板に突起物を設けることも好ましい。これにより、振分板の上を転動するパチンコ球が兼用入賞領域又は兼用特定領域を通過する際に、突起物による影響を与えて、偶然性を加えることができるので、さらに、遊技者に新たな興趣を持たせることができる。
【００１９】
また、本発明のパチンコ機において、センター役物の兼用大入賞口の開放の態様としては、前後に開閉して開放するものや、左右に開閉して開放するものなどが好ましい。
これにより、上記従来のパチンコ機では、第１種大入賞口１１１は前後に開閉するものであるので、センター役物の兼用大入賞口が左右に開閉する場合には、従来のパチンコ機にない新たな興趣を、遊技者に持たせることができる。また、上記従来のパチンコ機では、第２種開閉部材１０４は左右に開閉するものであるので、本発明のパチンコ機において、センター役物の兼用大入賞口が前後に開閉するものである場合には、従来のパチンコ機にない新たな興趣を、遊技者に持たせることができる。
【００２０】
また、本発明のパチンコ機において、遊技盤上にて展開される複数の異なる遊技としては、大当たり状態のときに繰り返される兼用大入賞口の開放の態様が、継続的に開放される第１の遊技と断続的に開放される第２の遊技などがある。そして、第１の遊技の場合には、センター役物において、パチンコ球が兼用特定領域を通過すると、兼用大入賞口の継続的な開放が繰り返されることによって、大当たり状態が維持されるようにしてもよい。また、第２の遊技の場合には、センター役物において、パチンコ球が兼用特定領域を通過すると、兼用大入賞口の断続的な開放が繰り返されることによって、大当たり状態が維持されるようにしてもよい。例えば、第１の遊技としていわゆる第１種の遊技を実行した場合には、大当たり状態では、センター役物において、パチンコ球が兼用特定領域を通過すると、兼用大入賞口の継続的な開放が予め定められた回数に達するまで繰り返されるようにしてもよい。また、第２の遊技としていわゆる第２種の遊技を実行した場合には、大当たり状態では、センター役物において、パチンコ球が兼用特定領域を通過すると、兼用大入賞口の断続的な開放が予め定められた回数に達するまで繰り返されるようにしてもよい。
【００２１】
そして、上記従来のパチンコ機では、入賞領域と特定領域は大入賞口に設けられており、大入賞口に入賞したパチンコ球は直ぐに入賞領域又は特定領域を通過することになるが、本発明のパチンコ機において、第１の遊技が遊技盤上にて展開される場合には、センター役物において、パチンコ球が振分板の上を転動することにより、兼用大入賞口に入賞したパチンコ球が兼用入賞領域又は兼用特定領域を通過するまで、遊技者は気を揉みながらパチンコ球を見届けることが可能になるので、従来のパチンコ機にない新たな興趣を、遊技者に持たせることができる。
【００２２】
【００２３】
【００２４】
また、上記従来のパチンコ機では、入賞領域と特定領域は、開閉部材の回動変化により開閉される大入賞口の真下に設けられており、比較的短期のうちに、大入賞口に入賞したパチンコ球は入賞領域又は特定領域を通過することになるが、本発明のパチンコ機において、第２の遊技が遊技盤上にて展開される場合には、センター役物において、パチンコ球が振分板の上を転動することにより、兼用大入賞口に入賞したパチンコ球が兼用入賞領域又は兼用特定領域を通過するまで、比較的長期に渡り、遊技者は気を揉みながらパチンコ球を見届けることが可能になるので、従来のパチンコ機にない新たな興趣を、遊技者に持たせることができる。
【００２５】
【００２６】
【００２７】
また、本発明のパチンコ機において、第１の遊技及び第２の遊技が遊技盤上にて展開される場合には、センター役物において繰り返される兼用大入賞口の開放の態様が、第１の遊技の大当たり状態のときは継続的に行われ、第２の遊技の大当たり状態のときは断続的に行われ、第１の遊技の大当たり状態のときと第２の遊技の大当たり状態のときとでは異なるので、遊技者は、センター役物において繰り返される兼用大入賞口の開放の態様を見定めることにより、何れの大当たり状態が遊技盤上で展開されているかを、判断することができる。例えば、第１の遊技としていわゆる第１種の遊技を実行した場合には、大当たり状態では、センター役物において、パチンコ球が兼用特定領域を通過すると、兼用大入賞口の継続的な開放が予め定められた回数に達するまで繰り返し、また、第２の遊技としていわゆる第２種の遊技を実行した場合には、大当たり状態では、センター役物において、パチンコ球が兼用特定領域を通過すると、兼用大入賞口の断続的な開放が予め定められた回数に達するまで繰り返すように構成することによって、遊技者は、センター役物において繰り返される兼用大入賞口の開放状態の態様から、いわゆる第１種の遊技といわゆる第２種の遊技のうちの何れの大当たり状態が遊技盤上で展開されているかを、判断することができる。
【００２８】
また、本発明のパチンコ機において、遊技盤上にて展開される複数の異なる遊技の１つで使用する図柄表示装置を、センター役物に設ければ、遊技盤上に設けられる役物のスペースを減らすことができるので、さらに、遊技盤上を綺麗にまとめることができる。
【００２９】
【００３０】
また、本発明のパチンコ機では、センター役物を使用する複数の異なる遊技に加え、さらに、センター役物を使用しない遊技が遊技盤上にて展開できる場合でも、上述した効果を発揮することは可能である。
【００３１】
【発明の実施の形態】
以下、本発明の実施の形態を図面を参照にして説明する。本実施の形態のパチンコ機は、第１種の遊技と第２種の遊技とを１つの遊技盤上で展開し得るものであって、以下に述べる内容に相当する以外の機能・構造については、第１種のパチンコ機及び第２種のパチンコ機と同じものである。
【００３２】
図２に示すように、本実施の形態のパチンコ機の遊技盤１の上においては、ほぼ中央に、センター役物２が設けられいる。そして、センター役物２の上側には、風車６が設けられている。また、センター役物２の両側には、上入賞口７、風車８、肩電飾ランプ１０が設けられている。また、センター役物２の下側には、第１種始動口３、第２種始動口Ａ４、第２種始動口Ｂ５、下入賞口９が設けられている。
【００３３】
また、図１に示すように、センター役物２においては、その上部に、第１種の遊技の大入賞口と第２種の遊技の大入賞口とをかねた兼用大入賞口１１が設けられている。また、兼用大入賞口１１の下には、７セグメントＬＥＤ等から構成される各表示ＬＥＤ１３Ａ、１３Ｂ、１３Ｃが左右水平方向に配置されることによって、左、中、右に３分割された特別図柄を表示する特別図柄表示装置１３が設けられている。尚、特別図柄表示装置１３は、第１種の遊技において使用されるものである。
【００３４】
また、特別図柄表示装置１３の下には、振分板１２が設けられている。振分板１２は、奥から手前に向かって下るように傾斜がつけられている。尚、兼用大入賞口１１に入賞したパチンコ球は、振分板１２の奥に落下する。そして、振分板１２の下（手前）には、第１種の遊技の大入賞口の入賞領域と第２種の遊技の大入賞口の入賞領域とをかねた兼用入賞領域１４が設けられている。また、兼用入賞領域１４内には、第１種の遊技の特定領域と第２種の遊技の特定領域とをかねた兼用特定領域たる兼用Ｖゾーン１５が区画されている。
【００３５】
従って、センター役物２においては、パチンコ球が兼用大入賞口１１に入賞すると、兼用大入賞口１１の下に設けられた振分板１２の奥にパチンコ球が落下する。さらに、振分板１２の上のパチンコ球は、振分板１２の下（手前）に設けられた兼用入賞領域１４に向かって転動し、兼用入賞領域１４又は兼用入賞領域１４に区画された兼用Ｖゾーン１５を通過する。
【００３６】
次に、本実施の形態のパチンコ機のブロック図について、図３に基づいて説明する。本実施の形態のパチンコ機は、ＣＰＵ２１、クロック回路２２、ＲＯＭ２３、ＲＡＭ２４、出力ポート２５、入力ポート２６などを有している。ＣＰＵ２１は、パチンコ機全体を制御するものであり、例えば、当該パチンコ機の遊技盤１の上で展開される第１種の遊技の内容と第２種の遊技の内容を制御する。クロック回路２２は、パチンコ機全体の制御における時間基準を与えるものである。ＲＯＭ２３は、当該パチンコ機の遊技の内容などのプログラムを記憶したものである。ＲＡＭ２４は、当該パチンコ機の遊技の内容などのプログラムを実行する際に使用するものである。
【００３７】
また、出力ポート２５には、特別図柄表示装置表示回路３０、ソレノイド駆動回路４０などが接続されている。そして、特別図柄表示装置表示回路３０には、特別図柄表示装置１３の各表示ＬＥＤ１３Ａ、１３Ｂ、１３Ｃが接続されている。各表示ＬＥＤ１３Ａ、１３Ｂ、１３Ｃにおいては、「０」、「１」、「２」、「３」、「４」、「５」、「６」、「７」、「８」、「９」のいずれかの数字が、特別図柄として表示される。
【００３８】
また、ソレノイド駆動回路４０には、兼用大入賞口ソレノイド４１などが接続されている。兼用大入賞口ソレノイド４１は、センター役物２の兼用大入賞口１１を前後に開閉させるものである。
【００３９】
また、入力ポート２６には、第１種始動口スイッチ５１、兼用カウントスイッチ５２、兼用Ｖゾーン通過スイッチ５３、第２種始動口Ａスイッチ６１、第２種始動口Ｂスイッチ６２などが接続されている。
【００４０】
第１種始動口スイッチ５１は、第１種始動口３にパチンコ球が入賞したことを検出するものである。兼用カウントスイッチ５２は、センター役物２の兼用大入賞口１１内にパチンコ球が入賞したことを検出するものである。兼用Ｖゾーン通過スイッチ５３は、センター役物２の兼用Ｖゾーン１５にパチンコ球が通過したことを検出するものである。第２種始動口Ａスイッチ６１は、第２種始動口Ａ４にパチンコ球が入賞したことを検出するものである。第２種始動口Ｂスイッチ６２は、第２種始動口Ｂ５にパチンコ球が入賞したことを検出するものである。
【００４１】
次に、本実施の形態のパチンコ機の遊技の内容に関する制御について説明する。本実施の形態のパチンコ機の遊技の内容に関する制御は、例えば、本出願人が提出した、特願平１１−２６０３７８号、特願平１１−２６９６２１号、特願平１１−２６９６２２号、特願平１１−２６９６９３号の各出願に記載された制御などにより行われる。これにより、本実施の形態のパチンコ機の遊技盤１の上では、第１種の遊技と第２種の遊技とが交互に展開されたり、あるいは、第１種の遊技の大当たり状態と第２種の遊技の大当たり状態とが独立して展開されたりする。
【００４２】
そこで、ここでは、本実施の形態のパチンコ機の遊技盤１の上において、第１種の遊技が展開される場合での態様と、第２種の遊技が展開される場合での態様とに分けて説明する。
【００４３】
第１種の遊技が展開される場合では、パチンコ球が第１種始動口３に入賞すると、特別図柄表示装置１３の各表示ＬＥＤ１３Ａ、１３Ｂ、１３Ｃにおいて、３桁の数字からなる第１種の特別図柄が変動する。そして、約６秒後の変動停止時に、３桁とも同じ数字の特別図柄が表示されると、第１種の大当たり状態となる。その後、第１種の大当たり状態では、センター役物２の兼用大入賞口１１が、約２０秒の間、あるいは、パチンコ球が１０個入賞するまで、継続的に開放されるとともに、かかる開放動作は、センター役物２の兼用大入賞口１１に入賞したパチンコ球が、センター役物２の兼用Ｖゾーン１５に１６個通過するまで繰り返される。
【００４４】
このような第１種の遊技の内容を制御するには、第１種始動口３にパチンコ球が入賞したことを検出する第１種始動口スイッチ５１からの信号、センター役物２の兼用大入賞口１１内にパチンコ球が入賞したことを検出する兼用カウントスイッチ５２からの信号、センター役物２の兼用Ｖゾーン１５にパチンコ球が通過したことを検出する兼用Ｖゾーン通過スイッチ５３からの信号などを利用する。
【００４５】
第２種の遊技が展開される場合では、パチンコ球が第２種始動口Ａ４、第２種始動口Ｂ５のいずれかに入賞すると、センター役物２の兼用大入賞口１１が前後に開閉することによって、０．９秒間程度開放され、そして、センター役物２の兼用大入賞口１１に入賞したパチンコ球が、センター役物２の兼用Ｖゾーン１５を通過することを条件として、第２種の大当たり状態となる。
【００４６】
その後、第２種の大当たり状態では、センター役物２の兼用大入賞口１１が前後に開閉することによって、センター役物２の兼用大入賞口１１が断続的に開放され、かかるセンター役物２の兼用大入賞口１１の断続的な開放は、センター役物２の兼用大入賞口１１に入賞したパチンコ球の数が１０個に達した時点、あるいは、センター役物２の兼用大入賞口１１の開放の回数が１８回に達した時点まで行われる。尚、センター役物２の兼用大入賞口１１に入賞したパチンコ球の数と、センター役物２の兼用大入賞口１１の開放の回数は、センター役物２の兼用大入賞口１１に入賞したパチンコ球が、センター役物２の兼用Ｖゾーン１５を通過することによりクリアされ、このクリアは、センター役物２の兼用Ｖゾーン１５を通過するパチンコ球の数が１５個に達するまで行われる。
【００４７】
このような第２種の遊技の内容を制御するには、第２種始動口Ａ４にパチンコ球が入賞したことを検出する第２種始動口スイッチＡ６１からの信号、第２種始動口Ｂ５にパチンコ球が入賞したことを検出する第２種始動口スイッチＢ６２からの信号、センター役物２の兼用大入賞口１１内にパチンコ球が入賞したことを検出する兼用カウントスイッチ５２からの信号、センター役物２の兼用Ｖゾーン１５にパチンコ球が通過したことを検出する兼用Ｖゾーン通過スイッチ５３からの信号などを利用する。
【００４８】
以上詳細に説明したように、本実施の形態のパチンコ機は、第１種の遊技と第２種の遊技を１つの遊技盤１の上にて展開するものであるから、複数の異なる遊技を１つの遊技盤１の上にて展開するものである。そして、遊技盤１の上にて展開される第１種の遊技と第２種の遊技には、センター役物２の兼用大入賞口１１の開放の態様に相違がみられるものの、それぞれの大当たり状態の際に、パチンコ球がセンター役物２の兼用Ｖゾーン１５を通過すると、センター役物２の兼用大入賞口１１の開放を繰り返す点で共通した内容を持つ。
【００４９】
従って、遊技盤１の上にて展開される第１種の遊技と第２種の遊技のいずれにおいても、それぞれの大当たり状態の際に、センター役物２の兼用Ｖゾーン１５をパチンコ球が通過すると、センター役物２の兼用大入賞口１１の開放が繰り返される。これにより、遊技盤１の上にて展開される第１種の遊技と第２種の遊技の共通した内容は、１つのセンター役物２において行われることになる。よって、センター役物２は、遊技盤１の上にて展開される第１種の遊技と第２種の遊技で使用される。
【００５０】
すなわち、本実施の形態のパチンコ機では、第１種の遊技と第２種の遊技が展開される遊技盤１の上に設けられたセンター役物２において、パチンコ球が兼用Ｖゾーン１５を通過すると、兼用大入賞口１１の開放を繰り返すことにより、遊技盤１の上にて展開される第１種の遊技と第２種の遊技の共通した内容を１つのセンター役物２で行っており、遊技盤１の上にて展開される第１種の遊技と第２種の遊技が部分的に融合した斬新な印象を遊技者に与えることができるので、遊技者に新たな興趣を持たせることができる。
【００５１】
また、遊技盤１の上にて展開される第１種の遊技と第２種の遊技の共通した内容を１つのセンター役物２で行うことによって、遊技盤１の上にて展開される第１種の遊技と第２種の遊技に必要な役物の一部（大入賞口、入賞領域、特定領域など）を共有化し、遊技盤１の上に設けられる役物の数を減らすことができるので、遊技盤１の上を綺麗にまとめることができるとともに、遊技盤１が反る危険を回避することができる。
【００５２】
そして、従来の第１種の遊技では、入賞領域と特定領域は大入賞口に設けられており、大入賞口に入賞したパチンコ球は直ぐに入賞領域又は特定領域を通過することになるが、本実施の形態のパチンコ機においては、第１種の遊技が遊技盤１の上にて展開される場合には、センター役物２において、パチンコ球が振分板１２の上を転動することにより、兼用大入賞口１１に入賞したパチンコ球が兼用入賞領域１４又は兼用Ｖゾーン１５を通過するまで、遊技者は気を揉みながらパチンコ球を見届けることが可能になるので、従来の第１種の遊技にない新たな興趣を、遊技者に持たせることができる。
【００５３】
また、従来の第２種の遊技では、入賞領域と特定領域は、開閉部材の回動変化により開閉される大入賞口の真下に設けられており、比較的短期のうちに、大入賞口に入賞したパチンコ球は入賞領域又は特定領域を通過することになるが、本実施の形態のパチンコ機においては、第２種の遊技が遊技盤１の上にて展開される場合には、センター役物２において、パチンコ球が振分板１２の上を転動することにより、兼用大入賞口１１に入賞したパチンコ球が兼用入賞領域１４又は兼用Ｖゾーン１４を通過するまで、比較的長期に渡り、遊技者は気を揉みながらパチンコ球を見届けることが可能になるので、従来の第２種の遊技にない新たな興趣を、遊技者に持たせることができる。
【００５４】
さらに、従来の第２種の遊技では、大入賞口は左右に開閉するものであるので、本実施の形態のパチンコ機のように、センター役物２の兼用大入賞口１１が前後に開閉するものである場合には、従来の第２種の遊技にない新たな興趣を、遊技者に持たせることができる。
【００５５】
また、本実施の形態のパチンコ機においては、第１種の遊技及び第２種遊技が遊技盤１の上にて展開されており、センター役物２において繰り返される兼用大入賞口１１の開放の態様が、第１種の大当たり状態のときは継続的に行われ、第２種の大当たり状態のときは断続的に行われ、第１種の遊技の大当たり状態のときと第２種遊技の大当たり状態のときとでは異なるので、遊技者は、センター役物２において繰り返される兼用大入賞口１１の開放の態様を見定めることにより、何れの大当たり状態が遊技盤１の上で展開されているかを、判断することができる。
【００５６】
また、本実施の形態のパチンコ機においては、遊技盤１の上にて展開される第１種の遊技で使用する特別図柄表示装置１３を、センター役物２に設けており、遊技盤１の上に設けられる役物のスペースを減らすことができるので、さらに、遊技盤１の上を綺麗にまとめることができる。
【００５７】
尚、本発明は上記実施の形態に限定されるものでなく、その趣旨を逸脱しない範囲で様々な変更が可能である。
例えば、センター役物２の振分板１２に突起物を設ければ、振分板１２の上を転動するパチンコ球が兼用入賞領域１４又は兼用Ｖゾーン１５を通過する際に、突起物による影響を与えて、偶然性を加えることができるので、さらに、遊技者に新たな興趣を持たせることができる。
【００５８】
特に、従来の第１種の遊技では、大入賞口に入賞したパチンコ球は直ぐに入賞領域又は特定領域を通過することから、パチンコ球が入賞領域又は特定領域を通過する際に偶然性を加えることはできないが、本実施の形態のパチンコ機において、センター役物２の振分板１２に突起物を設けた場合には、パチンコ球が兼用入賞領域１４又は兼用Ｖゾーン１５を通過する際に、突起物による影響を与えて、偶然性を加えることができるので、従来の第１種の遊技にない新たな興趣を、遊技者に持たせることができる。
【００５９】
また、従来の第２種の遊技では、開閉部材の回動変化により大入賞口が開閉することから、パチンコ球が入賞領域又は特定領域を通過する際に、開閉部材による影響を与えて、偶然性を加えているが、本実施の形態のパチンコ機において、センター役物２の振分板１２に突起物を設けた場合には、パチンコ球が兼用入賞領域１４又は兼用Ｖゾーン１５を通過する際に、突起物による影響を与えて、偶然性を加えているので、従来の第２種の遊技にない新たな興趣を、遊技者に持たせることができる。
【００６０】
また、本実施の形態のパチンコ機においては、センター役物２の兼用大入賞口１１は前後に開閉するものであったが、スライド、回動などにより、左右に開閉するものであってもよい。
【００６１】
特に、従来の第１種の遊技では、大入賞口は前後に開閉するものであるので、本実施の形態のパチンコ機において、センター役物２の兼用大入賞口１１が左右に開閉するものである場合には、従来の第１種の遊技にない新たな興趣を、遊技者に持たせることができる。
【００６２】
また、本実施の形態のパチンコ機においては、第１種の特別図柄表示装置１３がセンター役物２に設けられているが、図示されていない第２種の普通図柄表示装置などをセンター役物２に設けても、遊技盤１の上に設けられる役物のスペースを減らすことができるので、さらに、遊技盤１の上を綺麗にまとめることができる。
【００６３】
また、本実施の形態のパチンコ機では、センター役物２を使用する第１種の遊技と第２種の遊技が遊技盤１の上にて展開できたが、第１種の遊技と第２種の遊技に加え、さらに、センター役物２を使用しない遊技が遊技盤１上にて展開できる場合でも、上述した効果を発揮することは可能である。
【００６４】
【発明の効果】
本発明のパチンコ機では、複数の異なる遊技が展開される遊技盤上に設けられたセンター役物において、パチンコ球が兼用特定領域を通過すると、兼用大入賞口の開放を繰り返すことにより、遊技盤上にて展開される複数の異なる遊技の共通した内容を１つのセンター役物で行っており、遊技盤上にて展開される複数の異なる遊技が部分的に融合した斬新な印象を遊技者に与えることができるので、遊技者に新たな興趣を持たせることができる。
【００６５】
また、遊技盤上にて展開される複数の異なる遊技の共通した内容を１つのセンター役物で行うことによって、遊技盤上にて展開される各遊技に必要な役物の一部を共有化し、遊技盤上に設けられる役物の数を減らすことができるので、遊技盤上を綺麗にまとめることができるとともに、遊技盤が反る危険を回避することができる。
【００６６】
【００６７】
そして、上記従来のパチンコ機では、入賞領域と特定領域は大入賞口に設けられており、大入賞口に入賞したパチンコ球は直ぐに入賞領域又は特定領域を通過することになるが、本発明のパチンコ機において、第１の遊技が遊技盤上にて展開される場合には、センター役物において、パチンコ球が振分板の上を転動することにより、兼用大入賞口に入賞したパチンコ球が兼用入賞領域又は兼用特定領域を通過するまで、遊技者は気を揉みながらパチンコ球を見届けることが可能になるので、従来のパチンコ機にない新たな興趣を、遊技者に持たせることができる。
【００６８】
【００６９】
【００７０】
また、上記従来のパチンコ機では、入賞領域と特定領域は、開閉部材の回動変化により開閉される大入賞口の真下に設けられており、比較的短期のうちに、大入賞口に入賞したパチンコ球は入賞領域又は特定領域を通過することになるが、本発明のパチンコ機において、第２の遊技が遊技盤上にて展開される場合には、センター役物において、パチンコ球が振分板の上を転動することにより、兼用大入賞口に入賞したパチンコ球が兼用入賞領域又は兼用特定領域を通過するまで、比較的長期に渡り、遊技者は気を揉みながらパチンコ球を見届けることが可能になるので、従来のパチンコ機にない新たな興趣を、遊技者に持たせることができる。
【００７１】
【００７２】
【００７３】
また、本発明のパチンコ機において、第１の遊技及び第２の遊技が遊技盤上にて展開される場合には、センター役物において繰り返される兼用大入賞口の開放の態様が、第１の遊技の大当たり状態のときは継続的に行われ、第２の遊技の大当たり状態のときは断続的に行われ、第１の遊技の大当たり状態のときと第２の遊技の大当たり状態のときとでは異なるので、遊技者は、センター役物において繰り返される兼用大入賞口の開放の態様を見定めることにより、何れの大当たり状態が遊技盤上で展開されているかを、判断することができる。
【００７４】
また、本発明のパチンコ機において、遊技盤上にて展開される複数の異なる遊技の１つで使用する図柄表示装置を、センター役物に設ければ、遊技盤上に設けられる役物のスペースを減らすことができるので、さらに、遊技盤上を綺麗にまとめることができる。
【００７５】
また、本発明のパチンコ機では、センター役物を使用する複数の異なる遊技に加え、さらに、センター役物を使用しない遊技が遊技盤上にて展開できる場合でも、上述した効果を発揮することは可能である。
【図面の簡単な説明】
【図１】
本発明のパチンコ機の遊技盤に設けられたセンター役物の正面図である。
【図２】
本発明のパチンコ機の遊技盤の正面図である。
【図３】
本発明のパチンコ機のブロック図である。
【図４】
従来技術のパチンコ機の遊技盤の正面図である。
【符号の説明】
１  遊技盤
２  センター役物
１１  兼用大入賞口
１２  振分板
１３  特別図柄表示装置
１４  兼用入賞領域
１５  兼用Ｖゾーン